(57)【要約】      （修正有）【課題】一般家庭、農業、など除草を必要とする土地に適し、農薬を使用できない場所の除草に適応し、取り付け工事などが不要で、容易に設置でき、立毛、起毛で仕上げる為、立毛ならではの様々なデザインが可能である立毛型発芽防止除草マットを提供する。【解決手段】マットの裏表は両面又は、片面が立毛にする。立毛と立毛を繋ぐ部分は繊維または、接着剤で構成される。天然繊維または、合成繊維を使用。透水性、通気性に優れ乾燥し易いことを特徴とする立毛式マットの表裏の立毛はキメ細やかな物とする。ポリエステル製ポリプロピレン又は、その他の素材で水はけの良いものであれば良い。種子を表面の立毛又は、面で捉える事の出来る、細かさの立毛と複雑に編まれた面とする。【選択図】図２
0003193962.tif 000002
【実用新案登録請求の範囲】
【請求項１】
両面使用可能のマットの裏表は両面、立毛、または片面、立毛になっており立毛と立毛を繋ぐ又は、立毛と面を繋ぐ箇所は、接着剤又は繊維で構成され、透水性、通気性に優れ乾燥し易く、遮光性に優れていることを特徴とする立毛型発芽防止除草マットである。
【考案の詳細な説明】
【技術分野】
【０００１】
この発明は一般家庭、農業、など除草を必要とする土地に適し、農薬を使用できない場所の除草に適応。取り付け工事などが不要である為、容易に設置できるので、老人や子供でも取扱いが容易である。狭い場所にも適応。立毛、起毛で仕上げる為、立毛ならではの様々なデザインが可能。個人住宅のガーデニングなどにも適す。立毛である為、滑り止め効果が必要な場所にも適応する。
【背景技術】
【０００２】
従来の物は、平面的であった為、滑り易い。また固定式であった為操作が困難。従来の物はマットやシートに亀裂が入易い構造であった。そこに雑草の種子が入り込み発芽成長してしまう事が多く軽い傷でも地面が露出すれば発芽の原因となる。また、亀裂が地表に達しなかったとしてもシートの上に土が積もりそこに雨水が溜まり水はけの悪い環境では雑草の発芽、成長を促す結果となる。また、繊維型の物でも積極的に凹凸がつけられず、凹凸が付けられたとしても凹凸の間に土が入り込み定着し雑草の成長を促してしまう構造となっていた。また、黒いシートなどは地熱を上げてしまい、自らの耐久性も短くしてしまう。また、従来型の物は積極的に凹凸が付けられないため、滑り易いと言う欠点も備えていた。デザイン性にも乏しい物が多かった。            
【先行技術文献】
【特許文献】
【０００３】
【特許文献１】特開２００４−３１３０２０
【特許文献２】特開２００８−９２９２１
【考案の概要】
【考案が解決しようとする課題】
【０００４】
従来の物は、平面的であった。また固定式であった。シートやマットに亀裂が入易い構造であった。そこに雑草の種子が入り込み発芽成長してしまう事が多く軽い傷でも地面が露出すれば発芽の原因となる。また、亀裂が地表に達しなかったとしてもシートの上に土が積もりそこに雨水が溜まり水はけの悪い環境では雑草の発芽、成長を促す結果となる。また、繊維型の物でも積極的に凹凸がつけられず、凹凸が付けられたとしても凹凸の間に土が入り込み定着し雑草の成長を促してしまう構造となっていた。また、黒い、シートなどは地熱を上げてしまい、自らの耐久性も短くしてしまう。また、従来型の物は積極的に凹凸が付けられないため、滑り易いと言う欠点も備えていた。また、お年寄りや子供には操作が難しい物がおおかった。今回のマットは種子の段階で排除し従来の除草技術に足らない、除草技術、又、発芽困難なマットを開発し課題を解決する。また、今まではデザイン性に乏しかったマットを個性豊かにし、遊び心で除草を楽しめる物とし、尚且つ、すでに生えてしまっている雑草を効率よく排除する機能を備え、また、お年寄りや、子供でも移動し易い為、管理が容易なものとする。
【課題を解決するための手段】
【０００５】
マットの裏表は図１に示すように両面又は、片面を立毛とする。立毛と立毛を繋ぐ部分12は繊維または、接着剤で構成される。天然繊維または、合成繊維を使用。透水性、通気性に優れ乾燥し易いことを特徴とする立毛式マットの表裏の立毛はキメ細やかな物とする。ポリエステル製ポリプロピレン又は、その他の素材で水はけの良いものであれば良い。種子を表面の立毛又は、面で捉える事の出来る、細かさの立毛と複雑に編まれた面とする。密な立毛は、地表に接した場合、毛細管現象を起こし地表の水分をマットが吸い上げ、地表の一定の深さ乾燥が望める為地表での雑草の発芽、成は困難となる。また、ポリエステルや、ポリプロピレンなどの素材は、乾燥し易い為、吸い上げた水分はすぐに乾燥しマットの水分の滞留は少ない。この環境は飛来して来た種子の発芽成長を阻止する手段となる。またより効果を上げる為表裏はリバーシブルに仕上げる。裏返たり、移動する事により、より雑草の種子が定着しにくくする。その為、マットは、裏面と表面を返し易い面積で、重量は、風に飛ばされにくく、操作し易い面積とすることも考慮して作成し設置する。
【考案の効果】
【０００６】
立毛式なのでマットの表面にて雑草の種子を捉えることができる。また立毛を密にすることによって、遮光性が増す。その遮光性で地表に既に生えてしまっている、雑草の光合成を阻止できる。また、起毛型特有様々なデザインを楽しむことが出来る。高齢化の進む中お年寄りでも簡単に除草ができる。また、移動式、尚且つ軽量なので操作が簡単である。シーズンの終わりはたたんで収納できる。細やかな起毛や立毛にすることにより、飛来してきた種子を表面で捉える。ポリエステルやポリプロピレンなどの起毛や立毛は乾燥が早いため発芽したとしても、根や、芽は乾燥/し成長はかなり難しい。毛細管現象によりマットの下の水分を滞留させないで吸い上げ乾燥する事も発芽阻止に繋がる。また定着し発芽成長してしまった種も表裏を変える事により、根の部分をさらに乾燥させる事が出来る。また、表面を裏面にすると万が一、発芽しまった場合にもマットの持つ遮光性の為、光合成を阻止し、排除できる。また、ガーデニングを暫く休みたいと言うときなども適す。その場合、適量を設置する。剥がすと元の土壌が現れる為、ガーデニング再開時は、マットを剥がすと良い。
【図面の簡単な説明】
【０００７】
【図１】本考案の分解図
【図２】本考案の完成図
【図３】ウイルトン織りである
【図４】タフテット織りである
【考案を実施するための形態】
【０００８】
マットの裏表は両面又は、片面が立毛にする。立毛と立毛を繋ぐ部分は繊維または、接着剤で構成される。天然繊維または、合成繊維を使用。透水性、通気性に優れ乾燥し易いことを特徴とする立毛式マットの表裏の立毛はキメ細やかな物とする。ポリエステル製ポリプロピレン又は、その他の素材で水はけの良いものであれば良い。種子を表面の立毛又は、面で捉える事の出来る、細かさの立毛と複雑に編まれた面とする。密な立毛は、地表に接した場合、毛細管現象を起こし地表の水分をマットが吸い上げ、地表の一定の深さ乾燥が望める為地表での雑草の発芽、成は困難となる。また、ポリエステルや、ポリプロピレンなどの素材は、乾燥し易い為、吸い上げた水分はすぐに乾燥しマットの水分の滞留は少ない。この環境は飛来して来た種子の発芽成長を阻止する手段となる。またより効果を上げる為表裏はリバーシブルに仕上げる。裏返たり、移動する事により、より雑草の種子が定着しにくくする。その為、マットは、裏面と表面を返し易い面積で、重量は、風に飛ばされにくく、操作し易い面積とすることも考慮して作成し設置する。マットの織り方は図４で示すタフテッド、フックドララグ、図３で示すウイルトン織、ダブルエース織、緞通、ジャガード織その他の織り方などを工夫して作成。使用方法は農薬の使用できない場所や庭などで雑草の生えては困る場所に本マットを覆うようにのせる。また、既に生えてしまった雑草の上に覆うようにのせる。マットで覆う事の出来る長さであれば効果が期待できる。デザインを工夫する事によりガーデニングでもアクセントになる。その場合も本マットを雑草の生えては困る場所にのせるだけである。また、本マットを細かくして草刈機の入らない狭い場所にも適応。また、表裏のデザインを変える事により、変化を楽しむ事も出来る。デザインを工夫する事により、草取りを楽しむ事が出来る。
【産業上の利用可能性】
【０００９】
（発明の効果）農薬を散布せず、雑草を排除し、また、雑草の定着を抑える効果がある。起毛を使用することにより、マットに厚みを持たせられるため、耐久性にも優れる。
お年寄りにも取扱いが可能。また、デザインが自在なので、草取りを楽しむ事もできる。立毛なので滑り止め効果がある。裏面と表面のデザインなどを変えて変化を楽しむ事もできる。定期的に表裏を変えることにより表面に万が一発芽が起こってしまったとしても光合成を遮る効果がある。本マットは、遮光性も備える為、一定の長さ雑草が生えてしまった場所にも効果的であるただ、置くだけで草取りができる。また、マットの制作方法は機能さえ失われなければ厚みなどは、自在である為、政策方法によっては、細かくするカットする事も可能となるので、草刈機の入らない細かい場所にも有効である
【符号の説明】
【００１０】
１1  立毛の集合図
１2  立毛と立毛を繋ぐ接着剤、又は繊維
１3  立毛の集合図
【図１】
0003193962.tif 000003
【図２】
0003193962.tif 000004
【図３】
0003193962.tif 000005
【図４】
0003193962.tif 000006